(57)【要約】【課題】スロット付きパネル、カバー・シールド、外部フレームを有するコンピュータ本体用カバー・シールド・アセンブリを提供すること。【解決手段】ラグの１つの外側にプレート凹部を有し、上側部にプレート穴を有するスロット付きパネルと、プレート穴に対応するシールド・フックを提供するカバー・シールドと、プレート穴に対応する揺動キーが、プレート穴直下に配置された押し板上の係合部片を始動するように配置されている外部フレームとを備え、シールド・フックが係合部片を引っ掛けることができ、シールド・フックは、揺動キーが押されると直ちに係合部片を解放し、カバー・シールドが、ねじりばねの弾性、および半円形歯車とフレーム歯車の間の摩擦によって、漸進的な低速度で倒れて開くこと。【選択図】　図１
0003098100.tif 000002
【実用新案登録請求の範囲】
【請求項１】
少なくとも１つのスロットを有し、２つの下側部それぞれに、穴を有するラグを提供し、ラグの１つの外側にプレート凹部を有し、上側部にプレート穴を有するスロット付きパネルと、
スロット付きパネルに対応する寸法を有し、ラグそれぞれに対応する旋回軸を提供し、プレート凹部に対応する半円形歯車を提供し、それぞれの旋回軸およびそれぞれのラグと係合する２つの端部を有するねじりばねを提供し、プレート穴に対応するシールド・フックを提供するカバー・シールドと、
スロット付きパネルの２つの側部および下部を囲むように配置され、スロット付きパネルと共に開口を形成し、半円形歯車が通過するようにプレート凹部と共に溝を構成し、フレーム歯車が外部フレームの下側に回転可能に取り付けられて半円形歯車と噛み合い、プレート穴に対応する揺動キーが、プレート穴直下に配置された押し板上の係合部片を始動するように配置されている外部フレームとを備え、
シールド・フックが係合部片を引っ掛けることができ、シールド・フックは、揺動キーが押されると直ちに係合部片を解放し、カバー・シールドが、ねじりばねの弾性、および半円形歯車とフレーム歯車の間の摩擦によって、漸進的な低速度で倒れて開くことを特徴とするコンピュータ本体パネル用カバー・シールド・アセンブリ。
【請求項２】
パネルの２つのスロットを組み合わせて大きなスロットを形成することができることを特徴とする請求項１に記載のコンピュータ本体パネル用カバー・シールド・アセンブリ。
【請求項３】
外部フレームの下部に凹部が設けられ、プレートを元の位置に復元するように、ばねによってプレートの移動を可能にすることを特徴とする請求項１に記載のコンピュータ本体パネル用カバー・シールド・アセンブリ。
【請求項４】
カバー・シールドが、暗い色調の透明材料製であることを特徴とする請求項１に記載のコンピュータ本体パネル用カバー・シールド・アセンブリ。
【請求項５】
スロット付きパネルをコンピュータ本体の前面に設けることができることを特徴とする請求項１に記載のコンピュータ本体パネル用カバー・シールド・アセンブリ。
【請求項６】
プレート穴をスロット付きパネルに直接設けることができることを特徴とする請求項１に記載のコンピュータ本体パネル用カバー・シールド・アセンブリ。
【請求項７】
カバー・シールドが、スロット付きパネルのスロットに対応する単一のスロット・ゲートを有することができ、ゲートは、内向きに押すことができることが好都合な、常に閉じているゲート厚板であることを特徴とする請求項１に記載のコンピュータ本体パネル用カバー・シールド・アセンブリ。
【請求項８】
スロット・ゲートが、５．２５インチ・ディスク用にカバー・シールドの上部分に配置されていることを特徴とする請求項１に記載のコンピュータ本体パネル用カバー・シールド・アセンブリ。
【考案の詳細な説明】
【０００１】
【考案の属する技術分野】
本考案は、開蓋タイプのコンピュータ本体に使用されるカバー・シールドに関し、詳細には、コンピュータ本体の外被のスロット下に配置された軸の周りで跳ね上がることが可能な、コンピュータ本体のカバー・シールドに関する。
【０００２】
【従来の技術】
本体はコンピュータの中心部分であり、ＣＰＵなど重要な構成部品が本体内に取り付けられることは周知である。さらに、周辺機器を本体に外部接続することができる。したがって、コンピュータ本体の作製は、情報／電子産業の分野で常に焦点となる主題である。
【０００３】
従来のコンピュータ本体は、その前面パネル部に制御キーまたは操作キーを有し、抜き差しされるコンパクト・ディスクやフレキシブル・ディスク用の拡張機器を取り付けるために取付けスロットを備えている。基本的には、現在、コンピュータの前面パネルは、５．２５インチ・スロットと３．２５インチ・スロットの２つの取付けスロットを少なくとも有する。通常、取付けスロットは、ディスクが使用される前には遊休である。
【０００４】
【考案が解決しようとする課題】
異物が挿入されるのを避けるために、バッフルがスロット内に配置されている。しかし、スロットが外側から見え、見た目によくない。したがって、ステレオ以上の価値をもたらすコンピュータにとって、コンピュータ本体の前面パネル部に配置されている従来型取付けスロットに改良を加えることには価値がある。
そこで、本考案の目的は、スロット付きパネル、カバー・シールド、外部フレームを有するコンピュータ本体用カバー・シールド・アセンブリを提供することである。
【０００５】
【課題を解決するための手段】
前記目的を達成するため、本考案のコンピュータ本体パネル用カバー・シールド・アセンブリにおいて、スロット付きパネルは、少なくとも１つのスロットと、パネルの２つの下側部それぞれにある穴を有するラグと、ラグの１つの外側にあるプレート凹部と、パネルの上側部にあるプレート穴とを有する。カバー・シールドは、スロット付きパネルに対応する寸法と、ラグそれぞれに対応する旋回軸と、プレート凹部に対応する半円形歯車とを有する。２つの端部を有するねじりばねがそれぞれの旋回軸およびそれぞれのラグと係合し、プレート穴に対応するシールド・フックが設けられている。外部フレームは、スロット付きパネルの２つの側部および下部を囲むように配置され、スロット付きパネルと共に開口を形成し、半円形歯車が通過するようにプレート凹部と共に溝を構成する。フレーム歯車が外部フレームの下側に回転可能に取り付けられ、半円形歯車と噛み合う。プレート穴に対応する揺動キーが、プレート穴直下に配置された押し板上の係合部片を始動するように配置されている。シールド・フックは係合部片を引っ掛けることができ、シールド・フックは、揺動キーが押されると直ちに係合部片を解放する。カバー・シールドは、ねじりばねの弾性、および半円形歯車とフレーム歯車の間の摩擦によって、漸進的な低速度で倒れて開くことからなる。
又、パネルの２つのスロットを組み合わせて大きなスロットを形成することができることが好適である。
又、外部フレームの下部に凹部が設けられ、プレートを元の位置に復元するように、ばねによってプレートの移動を可能にすることが好適である。
又、カバー・シールドが、暗い色調の透明材料製であることが好適である。
又、スロット付きパネルをコンピュータ本体の前面に設けることができることが好適である。
又、プレート穴をスロット付きパネルに直接設けることができることが好適である。
又、カバー・シールドが、スロット付きパネルのスロットに対応する単一のスロット・ゲートを有することができ、ゲートは、内向きに押すことができることが好都合な、常に閉じているゲート厚板であることが好適である。
さらに、スロット・ゲートが、５．２５インチ・ディスク用にカバー・シールドの上部分に配置されていることが好適である。
【０００６】
【考案の実施の形態】
本考案は、以下の説明と添付の図面を参照することによって、より完全に理解することができる。
【０００７】
図１〜３のように、基本的には、コンピュータ本体パネル用カバー・シールドは、スロット付きパネル１、カバー・シールド２、外部フレーム３で構成されている。
【０００８】
スロット付きパネル１は、ユーザが容易に操作できるようにコンピュータ本体、特にその前面上に組み立てることができる。したがって、フレキシブル・ディスク、コンパクト・ディスクなどメモリ・デバイスを収容するために少なくとも１つのスロット１１を有する。図１では、寸法の異なる２つのデバイス・スロットの空間があることがわかるが、図１の構成された空間は一例にすぎず、限定するものではないことに留意されたい。カバー・シールド２を取り付けるために、スロット付きパネル１は、その下側に、配置穴１２１を伴うラグ１２を有する。さらに、スロット付きパネル１の上側は、図２のように、その側縁部に、フレーム３によって囲むことにより、または直接作製することができるフレーム３用の凹部１３１を伴うプレート穴１３を有する。一方、側部の１つは、パネルの下側で、またラグ１２の１つの外側で、それぞれ凹部１４を有し、その結果、フレーム３によって囲むことにより溝を形成することができる。
【０００９】
カバー・シールド２は蓋状の立体であり、その寸法は、前述のスロット付きパネル１に対応し、スロット１１よりわずかに大きい。スロット１１を完全に隠すために、カバー・シールド２は、暗い色調の透明または不透明材料で作製することが好ましい。カバー・シールド２は、ラグ１２に対応するように旋回軸２１を備え、半円形歯車２２が、凹部１４に対応するようにカバー・シールド２と一体で作製されている。さらに、ねじりばね２３が、それぞれの旋回軸２１にもそれぞれのラグ１２にも係合し、弾性作用を形成する。さらに、プレート穴１３に対応するカバー・フック２４が、カバーの開閉中に閉じるように、カバー・シールド２内に設けられている。
【００１０】
開いたスロットを独立して動作させるために、スロット付きパネル１のスロット１１に対応するスロット・ゲート２５が設けられ、スロット・ゲート２５は、カバー・シールド２に対して内向きに押すことができるゲート厚板２６を有する。スロット・ゲート２５は、その２つの反対側の側部に、それぞればねを有する従来型旋回軸を有し、その結果、ゲート２５を常に閉じた状態に保つことができ、ディスクを内向きに押した場合には、ゲートもまた内向きに倒すことができる。これは従来技術であるため、これ以上詳細は述べない。
【００１１】
外部フレーム３は、スロット付きパネル１およびカバー・シールド２の２つの側部および下部を囲むように位置決めされ、パネル１に接合される。プレート穴１３の外側に対応する揺動キー３１が外部フレーム３に設けられ、揺動キー３１は、押し板３２を動作可能に連結する。薄い係合部片３２１が、押し板３２の前端から延びている。押し板３２の中央部は、ばね３２３を収容するための入れ子３２２を有し、押し板３２の下部は、揺動キー３１に対して下向きに移動し、揺動キーを離した後でその元の位置に跳ね戻ることが可能な押し板３２用の固定部片３３を備える。
【００１２】
さらに、フレーム歯車３４は、外部フレーム３の前面下側に固定して取り付けられ、半円形歯車２２に対応し、また噛み合う。カバー・シールド２が倒れて開閉するとき、半円形歯車２２は、ある方向で回転するように始動され、フレーム歯車３４は、反対方向で回転する。フレーム歯車３４の取付け物は、スロット付きパネル１の下部に配置し、外部フレーム３内の穴を通過することができる。
【００１３】
各図を再び参照すると、図２に示すように、カバー・シールド２がスロット付きパネル１に取り付けられた後で、カバー・フック２４は、閉じた状態を形成するように、外部フレーム３上の対応する係合部片３２１上に引っ掛かることができる。
【００１４】
カバー・シールド２を開きたいと望むときには、揺動キー３１を引き、したがってカバー・フック２４が係合部片３２１と接触しないようにする。ばねの弾性により、カバー・シールド２が、回転する旋回軸２１によってその下縁の周りで倒れてその上部で開く。さらに、噛み合った歯車の助けにより、開くカバー・シールド２に対して緩衝器を提供し、ゆっくり開く動作の効果が得られる。
【００１５】
したがって、本考案の実施により、以下のような機能および利点が得られる。１）上部から開くことは、より人間工学的であり、ユーザは、コンピュータ本体より通常わずかに高い視界を有し、上部から開くことにより、ユーザは良好な視線を有することができ、ユーザの操作の助けになる。カバー・シールドが開いた後で、水平位置を得て、ディスクの配置中にディスクの落下を防止することができる。
２）閉鎖可能なカバー・シールドは、コンピュータ本体のパネル部が人の目に容易に触れないようにすることを可能にする。ハイテク製品の場合、カバー・シールドは、秘匿性をもたらすことができることが重要である。さらに、カバー・シールドは、異物の粒子が開いたスロットに入るのを効果的に防止し、コンピュータ本体の汚染を最小限に抑える。
３）歯車がカバー・シールドの開く速度を遅くすることを利用して、カバー・シールドが開く間に過剰な、あるいは自然な圧力がかかるのを防止し、これにより、電子構成部品の安定性が確保される。
４）カバー・シールドの上部にスロット・ゲートとゲート厚板が設けられており、ドア・イン・ドア動作の目的を達成する。特定のディスクの操作に対応して、スロット・ゲートを独立して開くことができ、実際のカバー・シールドを必要としない。
【００１６】
以上本考案について、その好ましい実施形態を参照しながら述べたが、添付の実用新案登録請求の範囲によって定義される本考案の精神から逸脱することなく、容易に修正および変形を行うことができることを理解されたい。
【図面の簡単な説明】
【図１】本考案による、コンピュータ本体パネルを伴うカバー・シールドの斜視図である。
【図２】パネルに組み立てられた図１のカバー・シールドを示す斜視図である。
【図３】持ち上がったカバー・シールドを示す斜視図である。
【符号の説明】
１　スロット付きパネル
２　カバー・シールド
３　外部フレーム
１１　スロット
１２　ラグ
１３　プレート穴
１４　凹部
２１　旋回軸
２２　半円形歯車
２３　ねじりばね
２４　カバー・フック
２５　スロット・ゲート
２６　ゲート厚板
３１　揺動キー
３２　押し板
３３　固定部片
３４　フレーム歯車
１２１　配置穴
１３１　凹部
３２１　係合部片
３２３　ばね
３２２　入れ子
【図１】
0003098100.tif 000003
【図２】
0003098100.tif 000004
【図３】
0003098100.tif 000005